(57)【要約】【課題】  外部情報に応じて再生コンテンツを動的に変更することができるコンテンツ再生システムおよびコンテンツ再生方法を提供することを目的とするものである。【解決手段】  コンテンツ再生装置と、コンテンツサーバと、スケジュールサーバと、外部情報源とを具備し、上記コンテンツ再生装置が、ネットワークを介して、上記コンテンツサーバ、上記スケジュールサーバに接続され、上記コンテンツ再生装置と上記外部情報源とがネットワークを介してまたは直接に接続されるコンテンツ再生システムであって、上記コンテンツ再生装置は、外部情報受信手段が取得した外部情報に基づいて、動的にスケジュールを変更し、外部情報源が存在している場に応じたコンテンツを再生することを、スケジュール再生手段に指示する動的スケジュール生成手段を有する。【選択図】  図１
2005135197.tif 000002
【特許請求の範囲】
【請求項１】
コンテンツ再生装置と、コンテンツサーバと、スケジュールサーバと、外部情報源とを具備し、上記コンテンツ再生装置が、ネットワークを介して、上記コンテンツサーバ、上記スケジュールサーバに接続され、上記コンテンツ再生装置と上記外部情報源とがネットワークを介してまたは直接に接続されるコンテンツ再生システムであって、
上記コンテンツ再生装置は、
上記スケジュールサーバからスケジュール再生メタファイルを受信するスケジュール再生メタファイル受信手段と；
上記スケジュール再生メタファイルを格納するスケジュール再生メタファイル格納手段と；
上記スケジュール再生メタファイルに従って、スケジュール通りにコンテンツを再生するスケジュール再生手段と；
上記外部情報源から外部情報を取得する外部情報受信手段と；
上記外部情報受信手段が取得した外部情報に基づいて、動的にスケジュールを変更し、上記外部情報源に応じたコンテンツを再生することを、上記スケジュール再生手段に指示する動的スケジュール生成手段と；
を有することを特徴とするコンテンツ再生システム。
【請求項２】
請求項１において、
上記外部情報源は、外部センサまたは位置情報サーバを有することを特徴とするコンテンツ再生システム。
【請求項３】
コンテンツ再生装置と、コンテンツサーバと、スケジュールサーバと、外部情報源とを具備し、上記コンテンツ再生装置が、ネットワークを介して、上記コンテンツサーバ、上記スケジュールサーバに接続され、上記コンテンツ再生装置と上記外部情報源とがネットワークを介してまたは直接に接続されるコンテンツ再生システムにおけるコンテンツ再生方法であって、
スケジュール再生メタファイル受信手段が、上記スケジュールサーバからスケジュール再生メタファイルを受信するスケジュール再生メタファイル受信段階と；
スケジュール再生メタファイル格納手段に上記スケジュール再生メタファイルを格納するスケジュール再生メタファイル格納段階と；
スケジュール再生手段が、上記スケジュール再生メタファイルに従って、スケジュール通りにコンテンツを再生するスケジュール再生段階と；
外部情報受信手段が、上記外部情報源から外部情報を取得する外部情報受信段階と；
動的スケジュール生成手段が、上記外部情報受信手段が取得した外部情報に基づいて、動的にスケジュールを変更し、上記外部情報源に応じたコンテンツを再生することを、上記スケジュール再生手段に指示する動的スケジュール生成段階と；
を有することを特徴とするコンテンツ再生方法。
【発明の詳細な説明】
【技術分野】
【０００１】
本発明は、外部情報によって動的にスケジュールを変更し、コンテンツを再生するコンテンツ再生システムおよびコンテンツ再生方法に関する。
【背景技術】
【０００２】
従来、コンテンツが存在する場所と再生時刻の情報とを示すスケジュール情報に基づいて、コンテンツを再生するコンテンツ再生装置が知られている。
【０００３】
また、上記スケジュール情報に基づいて、ネットワークＮＷを介してコンテンツを受信し、この受信したコンテンツを、上記スケジュール情報に基づいて、所定の再生時刻に再生するコンテンツ再生装置が知られている（たとえば、特許文献１参照）。
【特許文献１】特開２００２−３４２１９５号公報
【発明の開示】
【発明が解決しようとする課題】
【０００４】
しかし、上記従来のコンテンツ再生装置では、予め設定されたスケジュールに従ってコンテンツを再生するので、コンテンツ再生装置を街頭広告端末等に利用する場合、周りの環境等外部の情報に応じて再生コンテンツを動的に変更することができず、コンテンツを効果的に表示することができないという問題がある。
【０００５】
本発明は、コンテンツ再生装置が存在している場所に応じて再生コンテンツを動的に変更することができるコンテンツ再生システムおよびコンテンツ再生方法を提供することを目的とするものである。
【課題を解決するための手段】
【０００６】
本発明は、コンテンツ再生装置と、コンテンツサーバと、スケジュールサーバと、外部情報源とを具備し、上記コンテンツ再生装置が、ネットワークを介して、上記コンテンツサーバ、上記スケジュールサーバに接続され、上記コンテンツ再生装置と上記外部情報源とがネットワークを介してまたは直接に接続されるコンテンツ再生システムであって、上記コンテンツ再生装置は、外部情報受信手段が取得した外部情報に基づいて、動的にスケジュールを変更し、外部情報源が存在している場に応じたコンテンツを再生することを、スケジュール再生手段に指示する動的スケジュール生成手段を有する。
【発明の効果】
【０００７】
本発明によれば、スケジュール再生メタファイルを予め受信し、この受信したメタファイルに基づき、スケジュールに従って、コンテンツを再生するコンテンツ再生装置において、単調なスケジュール再生にならず、ユーザの視聴やユーザの特性、天気等様々な外部要因に応じて、スケジュールを動的に変更し、コンテンツを効果的に表示することができるという効果を奏する。
【発明を実施するための最良の形態】
【０００８】
発明を実施するための最良の形態は、以下の実施例である。
【実施例１】
【０００９】
図１は、本発明の実施例１であるコンテンツ再生システム１００の構成を示すブロック図である。
【００１０】
コンテンツ再生システム１００は、コンテンツ再生装置１０と、表示手段２０と、コンテンツサーバ３０と、スケジュールサーバ４０と、外部情報源５０とを具備し、コンテンツ再生装置１０が、ネットワークＮＷを介して、コンテンツサーバ３０、スケジュールサーバ４０に接続され、コンテンツ再生装置１０と外部情報源５０とがネットワークＮＷを介してまたは直接に接続されるシステムである。
【００１１】
上記コンテンツ再生装置１０は、スケジュール再生メタファイル受信手段１１と、スケジュール再生メタファイル格納手段１２と、スケジュール再生手段１３と、外部情報受信手段１４と、動的スケジュール生成手段１５と、ハードディスク１６と、タイマ１７と、ネットワークＩ／Ｆ１８とを有する。
【００１２】
スケジュール再生メタファイル受信手段１１は、スケジュールサーバ４０からスケジュール再生メタファイルを受信する手段である。
【００１３】
スケジュール再生メタファイル格納手段１２は、上記スケジュール再生メタファイルを格納する手段である。
【００１４】
スケジュール再生手段１３は、上記スケジュール再生メタファイルに従って、タイマ情報に基づくスケジュール通りにコンテンツを再生し、表示手段２０にコンテンツを表示する手段である。
【００１５】
外部情報受信手段１４は、外部情報源５０から外部情報を取得する手段である。
【００１６】
動的スケジュール生成手段１５は、外部情報受信手段１４が取得した外部情報に基づいて、動的にスケジュールを変更し、外部情報に応じたコンテンツを再生することを、スケジュール再生手段１３に指示する手段である。
【００１７】
次に、コンテンツ再生システム１００の動作について説明する。
【００１８】
図２は、上記実施例１において、スケジュール再生メタファイルにおける１つ目の例を示す図である。
【００１９】
たとえば、図２に示すように、１０：００ＡＭになるとコンテンツＡを繰り返して再生し、１１：００ＡＭになるとコンテンツＢを繰り返し、再生する。コンテンツの所在は、コンテンツ再生装置１０のハードディスク１６内であってもよく、ネットワークＮＷ上にあるコンテンツサーバ３０内でもよい。
【００２０】
ここで、１０：３０ＡＭに、スケジュールが再生されているコンテンツＡを、ユーザが一定時間視聴していることを、外部センサが感知したとする。たとえば、コンテンツ再生装置１０が、広告端末として街頭に設置されている場合、その広告端末の前に、一定時間の間、人が立ち止まっていることを感知したとする。
【００２１】
このように感知すると、外部情報受信手段１４に、上記広告端末の前に一定時間人が立ち止まっていることを示す情報が送られ、動的スケジュール生成手段１５は、現在のスケジュールを変更して、コンテンツＡの詳細コンテンツを再生するように、スケジュール再生手段１３に指示し、表示手段２０においてコンテンツＡの詳細コンテンツであるコンテンツＡ１を表示する。
【００２２】
コンテンツＡ１の再生終了間際になっても、まだユーザが視聴していることを外部センサ５１が感知すると、コンテンツＡの詳細コンテンツであるコンテンツＡ２、コンテンツＡ３を表示する。
【００２３】
一方、ユーザがその場を離れたことを、外部センサ５１が感知すれば、外部情報受信手段１４に、ユーザがその場を離れたことを示す情報が送られ、動的スケジュール生成手段１５は、本来再生すべきコンテンツＡを再生するように、スケジュール再生手段１３に指示し、表示手段２０がコンテンツＡを表示する。
【００２４】
上記のように、通常は、コンテンツＡを繰り返して再生し、コンテンツＡを視聴しているユーザに対しては、さらに詳しいコンテンツを再生することができ、単調なスケジュール再生にならず、ユーザに応じて、効果的にコンテンツを表示することができる。
【００２５】
また、外部センサ５１に限らず、ユーザがＧＰＳ（Global Positioning System）付きの携帯を所持している場合は、ユーザがコンテンツ再生装置１０の前にいることを、位置情報サーバ５２が感知できるので、外部情報受信手段１４に、その情報を送信し、上記と同様のことを実行することができる。
【００２６】
さらに、位置情報サーバ５２が、ユーザを特定することができるので、ユーザ情報登録サーバ５３に存在しているユーザの情報に基づいて、ユーザの嗜好に合致するコンテンツを再生することができる。
【００２７】
図３は、実施例１において、スケジュール再生メタファイルの２つ目の例を示す図である。
【００２８】
たとえば、図３に示す＜ユーザ情報ファイル＞に記載されているように、ユーザ情報ファイルにＡ１とＢ２とが登録されている場合、１０：３０ＡＭに、所定のユーザがコンテンツ再生装置１０の前で立ち止まっていると、上記所定のユーザの情報を、ユーザ情報登録サーバ５３から受信し、動的スケジュール生成手段１５は、上記所定のユーザに合ったコンテンツＡの詳細コンテンツであるコンテンツＡ１を再生するように、スケジュール再生手段１３に指示し、表示手段２０にコンテンツＡ１を表示する。
【００２９】
また、ユーザの情報に応じて、老人に対しては、コンテンツの再生スピードを変えて表示する等、ユーザの情報に応じたコンテンツ再生方法等に変化させるようにしてもよい。
【００３０】
次に、コンテンツ再生システム１００の動作について説明する。
【００３１】
図４は、コンテンツ再生システム１００における処理手順を示すフローチャートである。
【００３２】
まず、スケジュール再生メタファイル受信手段１１が、スケジュールサーバ４０からスケジュール再生メタファイルを受信し（Ｓ１）、この受信したスケジュール再生メタファイルを、スケジュール再生メタファイル格納手段１２に格納する（Ｓ２）。そして、スケジュール再生手段１３は、タイマ情報に基づいて、スケジュール再生メタファイルに従って、コンテンツを再生し（Ｓ３）、外部センサ５１は、一定時間、ユーザがコンテンツを視聴していることを感知し、外部情報受信手段１４は、一定時間、ユーザがコンテンツを視聴していることを示す情報を受信する（Ｓ４）。
【００３３】
その後に、動的スケジュール生成手段１５が、詳細コンテンツを再生することを、スケジュール再生手段１３に指示する（Ｓ５）。
【００３４】
上記実施例において、ユーザ情報を登録する場合、ユーザが予め登録するようにしてもよく、また、ユーザがｉモード等で閲覧したホームページの情報に基づいて、ユーザの嗜好にあった情報を自動的に作成するようにしてもよい。
【００３５】
上記実施例によれば、通常の場合には、コンテンツＡを繰り返して再生し、コンテンツ再生装置１０の前にユーザが存在する場合には、そのユーザの属性に応じた詳細コンテンツを再生することができ、単調なスケジュール再生にならず、ユーザに応じて、効果的にコンテンツを表示することができる。
【００３６】
また、上記実施例において、外部情報は、ユーザの位置情報に限らず、たとえば外部センサ５１が天気を感知するものである場合における雨情報であってもよく、この場合、雨が降ってきたときに、外部センサ５１が雨を感知し、雨情報を外部情報受信手段１４に送信し、動的スケジュール生成手段１５が、スケジュール再生を、雨天用のコンテンツに即座に変更することができる。
【図面の簡単な説明】
【００３７】
【図１】本発明の実施例１であるコンテンツ再生システム１００の構成を示すブロック図である。
【図２】実施例１において、スケジュール再生メタファイルにおける１つ目の例を示す図である。
【図３】実施例１において、スケジュール再生メタファイルの２つ目の例を示す図である。
【図４】コンテンツ再生システム１００における処理手順を示すフローチャートである。
【符号の説明】
【００３８】
１００…コンテンツ再生システム、
１０…コンテンツ再生装置、
１１…スケジュール再生メタファイル受信手段、
１２…スケジュール再生メタファイル格納手段、
１３…スケジュール再生手段、
１４…外部情報受信手段、
１５…動的スケジュール生成手段、
１６…ハードディスク、
１７…タイマ、
１８…ネットワークＩ／Ｆ、
２０…表示手段、
３０…コンテンツサーバ、
４０…スケジュールサーバ、
５０…外部情報源、
５１…外部センサ、
５２…位置情報サーバ。
【図１】
2005135197.tif 000003
【図２】
2005135197.tif 000004
【図３】
2005135197.tif 000005
【図４】
2005135197.tif 000006